(57)【要約】【課題】片手で操作しているときの誤動作を防止できる携帯情報表示装置を提供する。【解決手段】右、左側面センサーからの情報を元に、端末装置を握っている手が右手か左手の何れであるかを判断する（ステップＳ５）。判断された右手または左手に基づいて、右手用または左手用の誤動作領域の座標を設定する（ステップＳ６）。端末装置を手で握っている間、右手用または左手用の誤動作領域にあるタッチキーへのタッチを無効にする（ステップＳ７）。【選択図】図３
2014026323.tif 000002
【特許請求の範囲】
【請求項１】
筺体と、
上記筺体の表面に配置されるタッチパネルと、
上記筺体の側面に配置されると共に手を検出する側面センサーと、
上記筺体を手で握っているときに、上記側面センサーからの情報に基づいて、上記筺体を握っている手が左か右の何れであるかを判断する左右判断手段と、
上記左右判断手段からの情報に基づいて、上記筺体を握っている手の左右に応じた上記タッチパネルの誤動作領域を設定する誤動作領域設定手段と、
上記筺体を手で握っている間、上記誤動作領域設定手段によって設定された上記誤動作領域にあるタッチキーへのタッチを無効にする無効化手段と
を備えることを特徴とする携帯情報表示装置。
【請求項２】
請求項１に記載の携帯情報表示装置において、
上記側面センサーは、
上記筺体の右側面に配置される右側面センサーと、
上記筺体の左側面に配置される左側面センサーと
を含むことを特徴とする携帯情報表示装置。
【請求項３】
請求項１または２に記載の携帯情報表示装置において、
上記誤動作領域は、予め定められた一定の領域であることを特徴とする携帯情報表示装置。
【請求項４】
請求項３に記載の携帯情報表示装置において、
上記誤動作領域は、上記タッチパネルの左または右の辺に沿った領域を含むことを特徴とする携帯情報表示装置。
【請求項５】
請求項４に記載の携帯情報表示装置において、
上記誤動作領域は、上記タッチパネルの下の辺に沿った領域を含むことを特徴とする携帯情報表示装置。
【請求項６】
請求項１から５の何れか一つに記載の携帯情報表示装置において、
上記誤動作領域設定手段は、
アプリ切り替え時または画面切り替え時、画面レイアウトを読み込んで、アプリ毎または画面毎に、上記誤動作領域を変更する誤動作領域変更手段を含むことを特徴とする携帯情報表示装置。
【請求項７】
請求項１から６の何れか一つに記載の携帯情報表示装置において、
上記誤動作領域設定手段は、
上記誤動作領域に、新たな誤動作領域を設定により追加する誤動作領域追加手段を含むことを特徴とする携帯情報表示装置。
【請求項８】
表面にタッチパネルが配置された筺体を手で握っているときに、上記筺体の側面に配置される側面センサーからの情報に基づいて、上記筺体を握っている手が左か右の何れであるかを判断する左右判断工程と、
上記左右判断工程からの情報に基づいて、上記筺体を握っている手の左右に応じた上記タッチパネルの誤動作領域を設定する誤動作領域設定工程と、
上記筺体を手で握っている間、上記誤動作領域設定工程によって設定された上記誤動作領域にあるタッチキーへのタッチを無効にする無効化工程と
を備えることを特徴とする誤動作防止方法。
【発明の詳細な説明】
【技術分野】
【０００１】
この発明は、例えば、電子辞書、携帯電話、携帯情報端末（PDA: Personal Digital Assistant）等の携帯情報表示装置および誤動作防止方法に関する。
【背景技術】
【０００２】
従来、携帯情報表示装置としては、特開２０１２−０２７５８１号公報（特許文献１）に開示されたものがある。この携帯情報表示装置では、キーボードが配置される配置面の裏面および側面に、センサーを設け、このセンサーにより手の接触を感知して座標情報を出力し、この出力された座標情報から、ユーザによる携帯情報表示装置の保持状態を検出する。さらに、この座標情報から親指の可動範囲を推定し、推定された親指の可動範囲に基づいて、キーボードを表示する。
【０００３】
こうすることにより、携帯情報表示装置を保持する指の本数や接触位置等の情報を利用して、ユーザの携帯情報表示装置の握り方、指の可動範囲を推定し、入力方法を最適化できる。
【０００４】
また、他の携帯情報表示装置としては、特開２００８−０２７１８３号公報（特許文献２）に開示されたものがある。この携帯情報表示装置では、主表面に、表示面を有する表示装置を設け、第１、第２側面に、手の接触を検知するセンサーを設け、このセンサーの出力に基づいて、表示装置により表示面上に表示される内容を制御する。
【０００５】
こうすることにより、操作者に特に意識させることなく、操作者にとって最適な表示を行なうことができて、持ちやすい携帯情報表示装置を提供できる。
【先行技術文献】
【特許文献】
【０００６】
【特許文献１】特開２０１２−０２７５８１号公報
【特許文献２】特開２００８−０２７１８３号公報
【発明の概要】
【発明が解決しようとする課題】
【０００７】
ところで、昨今の携帯情報表示装置としてのスマートフォン（商品名）において、実装技術の進歩、デザイン性の重視で、狭額縁のスマートフォンが増えてきている。
【０００８】
これにより、スマートフォン表面に対してタッチパネルの領域が占める割合が大きくなってきていて、図１２に示すように、スマートフォンを片手で操作しているときに、スマートフォンを支えている小指等が、タッチパネル１０１にあるタッチキーＫを不用意にタッチしてしまい、意図していない動作が行われることがある。これは、スマートフォンのサイズが小さくなればなるほど、起こりやすくなる問題である。
【０００９】
そこで、この発明の課題は、片手で操作しているときの誤動作を防止できる携帯情報表示装置および誤動作防止方法を提供することにある。
【課題を解決するための手段】
【００１０】
上記課題を解決するため、この発明の携帯情報表示装置は、
筺体と、
上記筺体の表面に配置されるタッチパネルと、
上記筺体の側面に配置されると共に手を検出する側面センサーと、
上記筺体を手で握っているときに、上記側面センサーからの情報に基づいて、上記筺体を握っている手が左か右の何れであるかを判断する左右判断手段と、
上記左右判断手段からの情報に基づいて、上記筺体を握っている手の左右に応じた上記タッチパネルの誤動作領域を設定する誤動作領域設定手段と、
上記筺体を手で握っている間、上記誤動作領域設定手段によって設定された上記誤動作領域にあるタッチキーへのタッチを無効にする無効化手段と
を備えることを特徴としている。
【００１１】
この発明の携帯情報表示装置によれば、上記筺体を手で握ると、上記左右判断手段は、側面センサーからの情報に基づいて、筺体を握っている手が左か右の何れであるかを判断する。そして、上記誤動作領域設定手段は、この左右判断手段からの情報に基づいて、筺体を握っている手の左右に応じたタッチパネルの誤動作領域を設定する。そして、上記無効化手段は、筺体を手で握っている間、誤動作領域設定手段によって設定された誤動作領域にあるタッチキーへのタッチを無効にする。
【００１２】
これにより、携帯情報表示装置を片手で操作しているときに、携帯情報表示装置を支えている小指や薬指が、誤動作領域のタッチキーを不用意にタッチしても、タッチキーへのタッチを無効化でき、誤動作を防止できる。
【００１３】
また、一実施形態の携帯情報表示装置では、
上記側面センサーは、
上記筺体の右側面に配置される右側面センサーと、
上記筺体の左側面に配置される左側面センサーと
を含む。
【００１４】
この実施形態の携帯情報表示装置によれば、上記右側面センサーと上記左側面センサーとを有するので、筺体を握っている手の左右を確実に判断できる。
【００１５】
また、一実施形態の携帯情報表示装置では、上記誤動作領域は、予め定められた一定の領域である。
【００１６】
この実施形態の携帯情報表示装置によれば、上記誤動作領域は、予め定められた一定の領域であるので、誤動作領域の設定が容易となる。
【００１７】
また、一実施形態の携帯情報表示装置では、上記誤動作領域は、上記タッチパネルの左または右の辺に沿った領域を含む。
【００１８】
この実施形態の携帯情報表示装置によれば、上記誤動作領域は、上記タッチパネルの左または右の辺に沿った領域を含むので、タッチパネルの左右辺の近傍を支持する指による誤動作を防止できる。
【００１９】
また、一実施形態の携帯情報表示装置では、上記誤動作領域は、上記タッチパネルの下の辺に沿った領域を含む。
【００２０】
この実施形態の携帯情報表示装置によれば、上記誤動作領域は、上記タッチパネルの下の辺に沿った領域を含むので、タッチパネルの下辺の近傍を支持する指による誤動作を防止できる。
【００２１】
また、一実施形態の携帯情報表示装置では、
上記誤動作領域設定手段は、
アプリ切り替え時または画面切り替え時、画面レイアウトを読み込んで、アプリ毎または画面毎に、上記誤動作領域を変更する誤動作領域変更手段を含む。
【００２２】
この実施形態の携帯情報表示装置によれば、上記誤動作領域変更手段は、アプリ切り替え時または画面切り替え時、画面レイアウトを読み込んで、アプリ毎または画面毎に、誤動作領域を変更する。これにより、アプリ毎または画面毎に異なるタッチキーの配置に合わせて、誤動作領域を変更でき、誤動作を一層確実に防止できる。
【００２３】
また、一実施形態の携帯情報表示装置では、
上記誤動作領域設定手段は、
上記誤動作領域に、新たな誤動作領域を設定により追加する誤動作領域追加手段を含む。
【００２４】
この実施形態の携帯情報表示装置によれば、上記誤動作領域追加手段は、誤動作領域に、新たな誤動作領域を設定により追加する。これにより、不用意にタッチする領域を追加でき、誤動作を一層確実に防止できる。
【００２５】
また、一実施形態の誤動作防止方法では、
表面にタッチパネルが配置された筺体を手で握っているときに、上記筺体の側面に配置される側面センサーからの情報に基づいて、上記筺体を握っている手が左か右の何れであるかを判断する左右判断工程と、
上記左右判断工程からの情報に基づいて、上記筺体を握っている手の左右に応じた上記タッチパネルの誤動作領域を設定する誤動作領域設定工程と、
上記筺体を手で握っている間、上記誤動作領域設定工程によって設定された上記誤動作領域にあるタッチキーへのタッチを無効にする無効化工程と
を備える。
【００２６】
この実施形態の誤動作防止方法によれば、上記筺体を手で握ると、上記左右判断工程は、側面センサーからの情報に基づいて、筺体を握っている手が左か右の何れであるかを判断する。そして、上記誤動作領域設定工程は、この左右判断工程からの情報に基づいて、筺体を握っている手の左右に応じたタッチパネルの誤動作領域を設定する。そして、上記無効化工程は、筺体を手で握っている間、誤動作領域設定工程によって設定された誤動作領域にあるタッチキーへのタッチを無効にする。
【００２７】
これにより、携帯情報表示装置を片手で操作しているときに、携帯情報表示装置を支えている小指や薬指が、誤動作領域のタッチキーを不用意にタッチしても、タッチキーへのタッチを無効化でき、誤動作を防止できる。
【発明の効果】
【００２８】
この発明の携帯情報表示装置によれば、左右判断手段、誤動作領域設定手段および無効化手段を備えるので、片手で操作しているときの誤動作を防止できる。
【００２９】
この発明の誤動作防止方法によれば、左右判断工程、誤動作領域設定工程および無効化工程を備えるので、片手で操作しているときの誤動作を防止できる。
【図面の簡単な説明】
【００３０】
【図１】本発明の第１実施形態の携帯情報表示装置を示す外観図である。
【図２】上記携帯情報表示装置を示すブロック図である。
【図３】上記携帯情報表示装置の動作を示すフローチャートである。
【図４Ａ】右手で握ったときの右、左側面センサーの検知状態を説明する説明図である。
【図４Ｂ】左手で握ったときの右、左側面センサーの検知状態を説明する説明図である。
【図５Ａ】右手用の誤動作領域を説明する説明図である。
【図５Ｂ】左手用の誤動作領域を説明する説明図である。
【図６Ａ】本発明の第２実施形態の携帯情報表示装置の動作を示すフローチャートである。
【図６Ｂ】上記携帯情報表示装置の動作を示すフローチャートである。
【図７Ａ】右手用の誤動作領域を説明する説明図である。
【図７Ｂ】左手用の誤動作領域を説明する説明図である。
【図８Ａ】本発明の第３実施形態の携帯情報表示装置の動作を示すフローチャートである。
【図８Ｂ】上記携帯情報表示装置の動作を示すフローチャートである。
【図９Ａ】右手用の誤動作領域を説明する説明図である。
【図９Ｂ】左手用の誤動作領域を説明する説明図である。
【図１０Ａ】本発明の第４実施形態の携帯情報表示装置を示すと共に、右手で握ったときの右、左側面センサーの検知状態を説明する説明図である。
【図１０Ｂ】左手で握ったときの右、左側面センサーの検知状態を説明する説明図である。
【図１１Ａ】本発明の第５実施形態の携帯情報表示装置を示すと共に、右手で握ったときの右、左側面センサーの検知状態を説明する説明図である。
【図１１Ｂ】左手で握ったときの右、左側面センサーの検知状態を説明する説明図である。
【図１２】従来の携帯情報表示装置を示す表面図である。
【発明を実施するための形態】
【００３１】
以下、この発明を図示の実施の形態により詳細に説明する。
【００３２】
（第１の実施形態）
図１は、この発明の第１実施形態の携帯情報表示装置を示す簡略図である。図１に示すように、携帯情報表示装置は、筺体１と、この筺体１の表面に配置されるタッチパネル２とを有する。この携帯情報表示装置は、スマートフォン（以下、端末装置という）を示す。
【００３３】
上記タッチパネル２は、表示機能と入力機能とを有し、タッチパネル２に表示されるアイコン等のタッチキーを、指でタッチすることにより、操作可能となっている。
【００３４】
上記筺体１の右側面１ａには、帯状の右側面センサー３が配置され、上記筺体１の左側面１ｂには、帯状の左側面センサー４が配置される。右、左側面センサー３，４は、接触式または非接触式であり、手を検出する。例えば、静電容量センサー、圧力センサー、光学センサー等である。
【００３５】
上記タッチパネル２の下側には、通話用マイク５が配置され、タッチパネル２の上側には、通話用スピーカ６が配置されている。
【００３６】
上記携帯情報表示装置は、図２に示すように、ＬＣＤ表示部７と、カメラ８と、電源やボリューム等のサイドキー９と、ＣＰＵ（中央処理装置）１０と、記憶部１６と、通信制御部１７と、無線装置１８とを有する。
【００３７】
上記記憶部１６は、各種機能を実行するためのプログラムやデータ情報を記憶する。上記通信制御部１７は、無線装置１８を介して、電話局等と信号を送受する。
【００３８】
上記ＣＰＵ１０は、タッチパネル２、右、左側面センサー３，４、マイク５、カメラ８、サイドキー９、記憶部１６等から信号を受け、種々の演算処理を行って、スピーカ６、ＬＣＤ表示部７、記憶部１６、通信制御部１７等に信号を出力する。
【００３９】
上記ＣＰＵ１０は、誤動作制御部１１とアプリ１５とを有する。この誤動作制御部１１は、側面センサー制御部１２と、調整部１３と、タッチパネル制御部１４とを有する。
【００４０】
上記側面センサー制御部１２は、右、左側面センサー３，４からの情報に基づいて、左右どちらの手で筺体１を持っているか、ちゃんと握られているかを、判断する。側面センサー制御部１２は、左右判断手段の一例である。
【００４１】
上記調整部１３は、上記側面センサー制御部１２からの情報に基づいて、筺体１を握っている手の左右に応じたタッチパネル２の誤動作領域を設定する。この誤動作領域は、記憶部１６に記憶されている左右のパターンから、選択される。調整部１３は、誤動作領域設定手段の一例である。
【００４２】
上記調整部１３は、上記アプリ１５から、画面上のタッチキーのレイアウトの情報を取得する。アプリ１５とは、例えば、ブラウザや、電話帳などの端末装置に搭載されている機能である。
【００４３】
上記調整部１３は、上記タッチパネル制御部１４を制御して、上記筺体１を手で握っている間、上記誤動作領域にあるタッチキーへのタッチを無効にする。つまり、タッチキー全体のうち、誤動作領域と重なっている部分について、タッチを無効にする。
【００４４】
上記タッチパネル制御部１４は、上記調整部１３からの指令を受けて、誤動作領域でのタッチパネル２の接触を無効にする。調整部１３およびタッチパネル制御部１４は、無効化手段の一例である。
【００４５】
上記構成の端末装置は、図３に示すように、動作する。
【００４６】
上記端末装置を片手で握ると、左側面センサー４が手のタッチを認識し（ステップＳ１）、右側面センサー３が手のタッチを認識して（ステップＳ２）、側面センサー制御部１２は、端末装置を手で握っていると、判断する（ステップＳ３）。
【００４７】
そして、上記側面センサー制御部１２は、右、左側面センサー３，４からの情報を元に、握っている指の位置を特定して（ステップＳ４）、端末装置を握っている手が右手か左手の何れであるかを判断する（ステップＳ５）。
【００４８】
具体的に述べると、上記右、左側面センサー３，４は、図４Ａに示すように、上下方向に連続した帯状に、形成されている。図４Ａでは、端末装置を右手で握った状態を示しており、右、左側面センサー３，４は、位置Ｐ１〜Ｐ５にて、指を検知している。位置Ｐ１にて薬指を検知し、位置Ｐ２にて小指を検知し、位置Ｐ３にて親指の付け根（手の腹）を検知し、位置Ｐ４にて中指を検知し、位置Ｐ５にて親指を検知している。
【００４９】
そして、上記側面センサー制御部１２は、位置Ｐ１〜Ｐ３の位置座標で、右手であることを判断する。なお、位置Ｐ４、Ｐ５の位置座標は、握る行為の判断等に、補助的に用いられる。
【００５０】
一方、図４Ｂでは、端末装置を左手で握った状態を示しており、上記側面センサー制御部１２は、位置Ｐ１〜Ｐ３の位置座標で、左手であることを判断する。
【００５１】
その後、上記調整部１３は、側面センサー制御部１２によって判断された右手または左手に基づいて、右手用または左手用の誤動作領域の座標を設定する（図３のステップＳ６）。
【００５２】
上記右手用の誤動作領域ＺＲは、図５Ａに示すように、右手で握ったときの誤動作領域を示す。この誤動作領域ＺＲは、予め定められた一定の領域である。こうすることによって、誤動作領域ＺＲの設定が容易となる。なお、図中、誤動作領域ＺＲをハッチングにて示し、それ以外の白抜きの領域は、通常のタッチ領域Ｚ０を示す。
【００５３】
上記右手用の誤動作領域ＺＲは、タッチパネル２の左辺に沿った領域ＺＲ１と、タッチパネル２の下辺に沿った領域ＺＲ２とを、含む。こうすることによって、タッチパネル２の左辺および下辺の近傍を支持する指による誤動作を防止できる。
【００５４】
同様に、上記左手用の誤動作領域ＺＬは、図５Ｂに示すように、左手で握ったときの誤動作領域を示す。この誤動作領域ＺＬは、予め定められた一定の領域である。こうすることによって、誤動作領域ＺＬの設定が容易となる。なお、図中、誤動作領域ＺＬをハッチングにて示し、それ以外の白抜きの領域は、通常のタッチ領域Ｚ０を示す。
【００５５】
上記左手用の誤動作領域ＺＬは、タッチパネル２の右辺に沿った領域ＺＬ１と、タッチパネル２の下辺に沿った領域ＺＬ２とを、含む。こうすることによって、タッチパネル２の右辺および下辺の近傍を支持する指による誤動作を防止できる。
【００５６】
その後、上記調整部１３および上記タッチパネル制御部１４は、端末装置を手で握っている間、上記右手用または上記左手用の誤動作領域ＺＲまたはＺＬにあるタッチキーへのタッチを無効にする（図３のステップＳ７）。
【００５７】
こうすることによって、端末装置を片手で操作しているときに、端末装置を支えている小指や薬指が、誤動作領域ＺＲまたはＺＬのタッチキーを不用意にタッチしても、タッチキーへのタッチを無効化でき、誤動作を防止できる。
【００５８】
つまり、端末装置を右手で操作しているとき、図４Ａに示すように、端末装置を支えている小指が、右手用誤動作領域ＺＲにあるタッチキーＫを不用意にタッチしても、誤動作を防止できる。一方、端末装置を左手で操作しているとき、図４Ｂに示すように、端末装置を支えている小指が、左手用誤動作領域ＺＬにあるタッチキーＫを不用意にタッチしても、誤動作を防止できる。
【００５９】
その後、上記端末装置を離すと、上記側面センサー制御部１２は、右、左側面センサー３，４からの情報に基づいて、端末装置を離していると判断して（ステップＳ８）、動作を終了する。
【００６０】
（第２の実施形態）
図６Ａは、この発明の第２実施形態の携帯情報表示装置の動作を示すフローチャートである。この第２の実施形態は、上記第１の実施形態とは、誤動作領域を設定する方法のみが相違する。
【００６１】
図６ＡのステップＳ１１〜Ｓ１５，Ｓ１７，Ｓ１８は、図３のステップＳ１〜Ｓ５，Ｓ７，Ｓ８と同じであるため、説明を省略する。
【００６２】
図６ＡのステップＳ１６では、端末装置を握っている手の左右に応じた誤動作領域を設定する。詳しくは、図６Ｂに示すように、アプリ切り替え時または画面切り替え時、画面レイアウトを読み込んで、誤動作対象エリアの範囲にあるタッチキーを検出する（ステップＳ１６１）。
【００６３】
この誤動作対象エリアとは、予め定められたエリアであり、右手で操作する際、タッチパネルの左辺や下辺に沿ったエリアであり、左手で操作する際、タッチパネルの右辺や下辺に沿ったエリアである。
【００６４】
そして、この誤動作対象エリアの範囲に、タッチキーを検出すると（ステップＳ１６２）、この検出したタッチキーの全てに、誤動作領域を設定する（ステップＳ１６３）。
【００６５】
このステップＳ１６１〜ステップＳ１６３は、誤動作領域変更手段の一例である。このステップＳ１６１〜ステップＳ１６３は、図２に示す調整部１３によって、行われるようにしてもよい。
【００６６】
例えば、端末装置を右手で操作しているとき、図７Ａに示すように、アプリＡの使用では、誤動作領域ＺＲＡとなり、アプリＢの使用では、誤動作領域ＺＲＢとなり、アプリＣの使用では、誤動作領域ＺＲＣとなる。
【００６７】
一方、端末装置を左手で操作しているとき、図７Ｂに示すように、アプリＡの使用では、誤動作領域ＺＬＡとなり、アプリＢの使用では、誤動作領域ＺＬＢとなり、アプリＣの使用では、誤動作領域ＺＬＣとなる。
【００６８】
上記第２の実施形態によれば、上記誤動作領域変更手段（ステップＳ１６１〜ステップＳ１６３）は、アプリ切り替え時または画面切り替え時、画面レイアウトを読み込んで、アプリ毎または画面毎に、誤動作領域を変更する。これにより、アプリ毎または画面毎に異なるタッチキーの配置に合わせて、誤動作領域を変更でき、誤動作を一層確実に防止できる。
【００６９】
（第３の実施形態）
図８Ａは、この発明の第３実施形態の携帯情報表示装置の動作を示すフローチャートである。この第３の実施形態は、上記第２の実施形態とは、誤動作領域を追加する方法のみが相違する。
【００７０】
図８ＡのステップＳ２１〜Ｓ２８は、図６ＡのステップＳ１１〜Ｓ１８と同じであるため、説明を省略する。
【００７１】
図８ＡのステップＳ２９では、新たな誤動作領域の追加を判断する。詳しくは、図８Ｂに示すように、タッチパネル上の意図しない部分を触ったとき（ステップＳ２９１）、親指だけを側面センサーから離したり、タッチパネルの特定の場所を押す（ステップＳ２９２）。すると、この意図しない部分の座標を誤動作領域に指定するか否かの選択が行われ（ステップＳ２９３）、指定する場合、この座標が誤動作領域に追加される（ステップＳ２９４）。
【００７２】
このステップＳ２９１〜ステップＳ２９４は、誤動作領域追加手段の一例である。このステップＳ２９１〜ステップＳ２９４は、図２に示す調整部１３によって、行われるようにしてもよい。追加された領域は、図２に示す記憶部１６に、記憶されるようにしてもよい。
【００７３】
例えば、端末装置を右手で操作しているとき、図９Ａに示すように、アプリＡの使用では、（図７Ａと同じ）元の誤動作領域ＺＲＡに、新たな誤動作領域ＺＲ０が追加され、アプリＢの使用では、（図７Ａと同じ）元の誤動作領域ＺＲＢに、新たな誤動作領域ＺＲ０が追加され、アプリＣの使用では、（図７Ａと同じ）元の誤動作領域ＺＲＣに、新たな誤動作領域ＺＲ０が追加される。
【００７４】
一方、端末装置を左手で操作しているとき、図９Ｂに示すように、アプリＡの使用では、（図７Ｂと同じ）元の誤動作領域ＺＬＡに、新たな誤動作領域ＺＬ０が追加され、アプリＢの使用では、（図７Ｂと同じ）元の誤動作領域ＺＬＢに、新たな誤動作領域ＺＬ０が追加され、アプリＣの使用では、（図７Ｂと同じ）元の誤動作領域ＺＬＣに、新たな誤動作領域ＺＬ０が追加される。
【００７５】
上記第３の実施形態によれば、上記誤動作領域追加手段（ステップＳ２９１〜ステップＳ２９４）は、誤動作領域に、新たな誤動作領域を設定により追加する。これにより、不用意にタッチする領域を追加でき、誤動作を一層確実に防止できる。
【００７６】
（第４の実施形態）
図１０Ａと図１０Ｂは、この発明の第４実施形態の携帯情報表示装置を示す表面図である。この第４の実施形態は、上記第１の実施形態とは、側面センサーの構成のみが相違する。この相違する構成のみを以下に説明する。
【００７７】
図１０Ａに示すように、右、左側面センサー３Ａ，４Ａは、それぞれ、上下方向に分離した第１センサー部３１，４１、第２センサー部３２，４２および第３センサー部３３，４３を有する。
【００７８】
図１０Ａでは、端末装置を右手で握った状態を示しており、右、左側面センサー３Ａ，４Ａは、位置Ｐ１〜Ｐ５にて、指を検知している。そして、図２に示す側面センサー制御部１２は、位置Ｐ１〜Ｐ３の位置座標で、右手であることを判断する。なお、位置Ｐ４、Ｐ５の位置座標は、握る行為の判断等に、補助的に用いられる。
【００７９】
つまり、上記右、左の第２センサー部３２，４２および上記右、左の第３センサー部３３，４３によって、右手であることを判断している。右の第２センサー部３２および右の第３センサー部３３によって、位置Ｐ３に示す右手の腹を判断している。
【００８０】
上記右、左の第１センサー部３１，４１は、他のセンサー部と比べて長いか、または、他のセンサー部と距離を置いて配置される。
【００８１】
一方、図１０Ｂでは、端末装置を左手で握った状態を示しており、左の第２センサー部４２および左の第３センサー部４３によって、位置Ｐ３に示す左手の腹を判断して、上記側面センサー制御部１２は、左手であることを判断する。
【００８２】
（第５の実施形態）
図１１Ａと図１１Ｂは、この発明の第５実施形態の携帯情報表示装置を示す表面図である。この第５の実施形態は、上記第１の実施形態とは、側面センサーの構成のみが相違する。この相違する構成のみを以下に説明する。
【００８３】
図１１Ａに示すように、右、左側面センサー３Ｂ，４Ｂは、それぞれ、上下方向に分離した第１センサー部３１，４１、第２センサー部３２，４２、第３センサー部３３，４３および第４センサー部３４，４４を有する。
【００８４】
図１１Ａでは、端末装置を右手で握った状態を示しており、右、左側面センサー３Ｂ，４Ｂは、位置Ｐ１〜Ｐ５にて、指を検知している。そして、図２に示す側面センサー制御部１２は、位置Ｐ１〜Ｐ３の位置座標で、右手であることを判断する。なお、位置Ｐ４、Ｐ５の位置座標は、握る行為の判断等に、補助的に用いられる。
【００８５】
つまり、上記右、左の第３センサー部３３，４３および上記右、左の第４センサー部３４，４４によって、右手であることを判断している。右の第３センサー部３３および右の第４センサー部３４によって、位置Ｐ３に示す右手の腹を判断している。
【００８６】
一方、図１１Ｂでは、端末装置を左手で握った状態を示しており、左の第３センサー部４３および左の第４センサー部４４によって、位置Ｐ３に示す左手の腹を判断して、上記側面センサー制御部１２は、左手であることを判断する。
【００８７】
なお、この発明は上述の実施形態に限定されない。例えば、上記第１から上記第５の実施形態のそれぞれの特徴点を様々に組み合わせてもよい。
【００８８】
また、上記調整部によって、図５Ａと図５Ｂの誤動作領域を一定とする固定パターンと、図７Ａと図７Ｂの誤動作領域を変更する自動パターンと、図９Ａと図９Ｂの誤動作領域を追加する学習パターンとを、選択できるようにしてもよい。
【００８９】
また、上記右、左側面センサーのうち、一方の側面センサーのみを設けてもよく、この場合、側面センサー制御部は、側面センサーによる手の検出面積や検出位置をもとに、右手と左手を判断するようにしてもよい。また、側面センサーを分割する数量としては、５つ以上としてもよい。
【００９０】
また、誤動作領域としては、所定範囲の全体を誤動作領域としてもよく、または、所定範囲とタッチキーとの重複部分を誤動作領域としてもよい。
【００９１】
上記実施形態では、携帯情報表示装置として、スマートフォンを説明したが、電子辞書や、携帯電話や、携帯情報端末（PDA: Personal Digital Assistant）等の携帯情報表示装置であってもよい。
【００９２】
なお、本発明の誤動作防止方法として、上記実施形態で説明した上記携帯情報表示装置の動作と同じであり、左右判断工程（つまり、左右判断手段）と、誤動作領域設定工程（つまり、誤動作領域設定手段）と、無効化工程（つまり、無効化手段）とを備える。これにより、上記実施形態で説明した上記携帯情報表示装置の効果と同じ効果を奏する。
【符号の説明】
【００９３】
１  筺体
１ａ  右側面
１ｂ  左側面
２  タッチパネル
３，３Ａ，３Ｂ  右側面センサー
４，４Ａ，４Ｂ  左側面センサー
１１  誤動作制御部
１２  側面センサー制御部（左右判断手段）
１３  調整部（誤動作領域設定手段、無効化手段）
１４  タッチパネル制御部（無効化手段）
【図１】
2014026323.tif 000003
【図２】
2014026323.tif 000004
【図３】
2014026323.tif 000005
【図４Ａ】
2014026323.tif 000006
【図４Ｂ】
2014026323.tif 000007
【図５Ａ】
2014026323.tif 000008
【図５Ｂ】
2014026323.tif 000009
【図６Ａ】
2014026323.tif 000010
【図６Ｂ】
2014026323.tif 000011
【図７Ａ】
2014026323.tif 000012
【図７Ｂ】
2014026323.tif 000013
【図８Ａ】
2014026323.tif 000014
【図８Ｂ】
2014026323.tif 000015
【図９Ａ】
2014026323.tif 000016
【図９Ｂ】
2014026323.tif 000017
【図１０Ａ】
2014026323.tif 000018
【図１０Ｂ】
2014026323.tif 000019
【図１１Ａ】
2014026323.tif 000020
【図１１Ｂ】
2014026323.tif 000021
【図１２】
2014026323.tif 000022